(57)【特許請求の範囲】
【請求項１】
音声通信を行うための送話手段及び受話手段と、
被写体像を撮像する撮像手段と、
前記撮像手段により撮像した撮像画面を左右反転して鏡像画面を生成するハンドミラー機能処理部と、
前記左右反転された鏡像画面を表示する表示手段とを有し、
前記撮像手段をその撮像方向が前記表示手段の表示方向と同一の方向となるように配置すると共に、
前記撮像手段を前記表示手段の上側中央に配設し、
前記受話手段を前記表示手段の上側で、前記撮像手段の周囲に配設し、
前記表示手段は、髪型を変更された前記鏡像画面を表示し、
前記受話手段は３つの音孔を有し、
前記受話手段の前記３つの音孔の一部を受話孔から露出させ、前記受話孔から受話音を出力させ、
前記受話手段の受話孔が、表示手段の上側中央を含み左右方向に延びる溝状部内に配置されており、
前記溝状部が、前記撮像手段の撮像孔の位置を円内に含む円の円周上となる位置に配置されている
ことを特徴とするカメラ付き携帯電話端末装置。
【請求項２】
前記受話手段の受話孔が隠匿するように筐体面を覆う加飾部材を設けることを特徴とする請求項１に記載のカメラ付き携帯電話端末装置。
【請求項３】
被写体像を撮像する撮像手段を表示手段の上側中央に配設し、
音声通信を行うための受話手段を前記表示手段の上側で、前記撮像手段に対して上下若しくは左右方向又は斜め方向の何れかに配設しておき、
前記受話手段は３つの音孔を有し、
前記受話手段の前記３つの音孔の一部を受話孔から露出させ、前記受話孔から受話音を出力させ、
前記受話手段の受話孔が、表示手段の上側中央を含み左右方向に延びる溝状部内に配置されており、
前記溝状部が、前記撮像手段の撮像孔の位置を円内に含む円の円周上となる位置に配置されており、
前記撮像手段をその撮像方向が前記表示手段の表示方向と同一の方向となるように配置し、
前記撮像手段により撮像した撮像画面を左右反転して鏡像画面を生成し、
髪型を変更され前記左右反転された鏡像画面を前記表示手段に表示する
ようにしたことを特徴とするカメラ付き携帯端末装置の表示方法。
【発明の詳細な説明】
【技術分野】
【０００１】
本発明は、自分の顔を被写体として撮像すると、撮像した自分の顔の撮像画面が表示部に鏡像表示されるものに用いて好適なカメラ付き携帯電話端末装置及びカメラ付き携帯端末装置の表示方法に関する。
【背景技術】
【０００２】
カメラ付き携帯電話端末には、撮像部の撮像方向と表示部の表示方向とを同一の方向に向けて配置し、自分の顔を被写体として撮像すると、撮像した自分の顔の撮像画面が左右反転され、表示部に鏡像表示されるハンドミラー機能と呼ばれる機能に設定可能なものがある。このようなハンドミラー機能では、自分撮りを行ったときに、違和感無く自分自身を撮影できると共に、カメラ付き携帯電話端末を手鏡のように扱え、髪型や、化粧のチェックのときに利用できる。
【０００３】
また、カメラ付き携帯電話端末で撮影した自分自身の顔を加工して提示するような各種のサービスが実用化されている。例えば、カメラ付き携帯電話端末で自分自身の顔を撮影し、髪型変更サーバに送信すると、その顔画像の髪型を変更して、携帯電話端末に送信するようなサービスが行われている。
【０００４】
なお、カメラで撮影した画面を左右反転し、表示部に鏡像表示するような機能を備えた撮像装置については、例えば特許文献１及び特許文献２に記載されている。
【先行技術文献】
【特許文献】
【０００５】
【特許文献１】特開２００１−２９８６５０号公報
【特許文献１】特開２００１−３０９２２６号公報
【発明の概要】
【発明が解決しようとする課題】
【０００６】
カメラ付き携帯電話端末で自分自身の顔を撮影する場合、使用者は、顔の中心がカメラの位置に合うように、カメラに対して顔を向け、表示部に表示される自分自身の顔を見ることになる。この場合、カメラの位置と表示部の位置との関係によっては、撮影された画像が目の位置が不自然になってしまうことがある。
【０００７】
つまり、図１２に示すように、カメラ付き携帯電話端末の筐体５０１に表示部５１１が配設され、その下方に、撮像部５１２が配設されているとする。この場合、使用者は、下方にある撮像部５１２に顔の向きを合わせつつ、その上にある表示部５１１を見ることになる。このため、図１３に示すように、使用者の目は、上目になってしまう。
【０００８】
そこで、図１４に示すように、カメラ付き携帯電話端末の筐体６０１の表示部６１１の中心の右側又は左側に、撮像部６１２を設けることが考えられる。このようにすれば、撮像部６１２と表示部６１１の高さが同一になり、上目になることはなくなる。ところが、この場合には、撮像部６１２で被写体を斜め横から撮影することとなり、使用者の目が横を向いたようになってしまう。また、この場合には、撮影画像が横からの画面となり、顔を撮影し任意の髪型に差し替え合成するような髪型変更サービスを行う場合に、元の髪型の除去が左右非対称のため、複雑化したり、差し替える髪型の回転処理が入るため処理が増え、システム負荷やシステムコストへの影響がある。
【０００９】
また、このようなカメラ付け携帯電話端末の表示部の上側には、受話部の受話孔が配設されており、使用者が受話孔と撮像孔とを誤認することが考えられる。使用者が受話孔と撮像孔とを誤認して、受話孔に向かって撮影を行ってしまうと、目の位置が狂ったような撮影画面になってしまう。
【００１０】
これを軽減するために、撮像部を分離、自在に配置したり、表示部と撮像部との位置の違いに対して被写体との距離を十分に開けられるよう表示部を大型化するなどのことが行われてきたが、このようにすると、機器の大型化を招く。
【００１１】
上述の課題を鑑み、本発明は、自分を被写体として撮影して表示する場合に、自然な目線の撮像画面を表示できるカメラ付き携帯電話端末装置及びカメラ付き携帯端末装置の表示方法を提供することを目的とする。
【課題を解決するための手段】
【００１２】
上述の課題を解決するために、本発明に係るカメラ付き携帯電話端末装置は、音声通信を行うための送話手段及び受話手段と、被写体像を撮像する撮像手段と、撮像手段により撮像した撮像画面を左右反転して鏡像画面を生成するハンドミラー機能処理部と、左右反転された鏡像画面を表示する表示手段とを有し、撮像手段をその撮像方向が表示手段の表示方向と同一の方向となるように配置すると共に、撮像手段を表示手段の上側中央に配設し、受話手段を表示手段の上側で、撮像手段の周囲に配設し、表示手段は、髪型を変更された鏡像画面を表示し、受話手段は３つの音孔を有し、受話手段の３つの音孔の一部を受話孔から露出させ、受話孔から受話音を出力させ、受話手段の受話孔が、表示手段の上側中央を含み左右方向に延びる溝状部内に配置されており、溝状部が、撮像手段の撮像孔の位置を円内に含む円の円周上となる位置に配置されていることを特徴とする。
【００１３】
本発明に係るカメラ付き携帯端末装置の表示方法は、被写体像を撮像する撮像手段を表示手段の上側中央に配設し、音声通信を行うための受話手段を表示手段の上側で、撮像手段に対して上下若しくは左右方向又は斜め方向の何れかに配設しておき、受話手段は３つの音孔を有し、受話手段の３つの音孔の一部を受話孔から露出させ、受話孔から受話音を出力させ、受話手段の受話孔が、表示手段の上側中央を含み左右方向に延びる溝状部内に配置されており、溝状部が、撮像手段の撮像孔の位置を円内に含む円の円周上となる位置に配置されており、撮像手段をその撮像方向が表示手段の表示方向と同一の方向となるように配置し、撮像手段により撮像した撮像画面を左右反転して鏡像画面を生成し、髪型を変更され左右反転された鏡像画面を表示手段に表示するようにしたことを特徴とする。
【発明の効果】
【００１４】
本発明によれば、撮像部を表示部の上側中央部に配置しているので、使用者が自分の顔の中心が撮像部に来るように顔を向けつつ、表示部の表示画面を見て確認する場合に、使用者の目が上を向くことが無く、自然な画像が撮影できる。また、本発明によれば、受話部を表示手段の上側で、撮像部の周囲に配置しているので、撮像部や受話部を配設するためのスペースが十分に確保でき、実装効率の低下が防げる。
【図面の簡単な説明】
【００１５】
【図１】本発明の第１の実施形態に係るカメラ付き携帯電話端末の外観構成を示す斜視図である。
【図２】本発明の第１の実施形態に係るカメラ付き携帯電話端末の主要部の内部構成を示すブロック図である。
【図３】本発明の第１の実施形態に係るカメラ付き携帯電話端末の場合の使用者の目の位置の説明図である。
【図４】本発明の第１の実施形態に係るカメラ付き携帯電話端末の撮像部及び受話部の取り付け機構の説明図である。
【図５】本発明の第１の実施形態に係るカメラ付き携帯電話端末の撮像部及び受話部の取り付け機構の説明図である。
【図６】本発明の第１の実施形態に係るカメラ付き携帯電話端末の上側筐体の断面図及びその説明図である。
【図７】髪型変更システムの概要を示すブロック図である。
【図８】髪型変更システムの説明に用いるシーケンス図である。
【図９】本発明の第２の実施形態の説明図である
【図１０】本発明の第３の実施形態の説明図である
【図１１】本発明の第４の実施形態の説明図である
【図１２】カメラ付き携帯電話端末で表示部の下方に撮像部を配置した場合の説明図である。
【図１３】カメラ付き携帯電話端末で表示部の下方に撮像部を配置した場合の使用者の目の位置の説明図である。
【図１４】カメラ付き携帯電話端末で表示部の左右に撮像部を配置した場合の説明図である。
【発明を実施するための形態】
【００１６】
以下、本発明の実施の形態について図面を参照しながら説明する。図１は、本発明の第１の実施形態に係るカメラ付き携帯電話端末１の外観構成を示す斜視図である。
【００１７】
本発明に係るカメラ付き携帯電話端末１は、図１に示すように、上側筐体１０と、下側筐体１１と、上側筐体１０と下側筐体１１とを回動自在に連結させるヒンジ部１２とからなる、折畳み構造となっている。
【００１８】
下側筐体１１には、その略々全面に渡って、操作部１３が配設される。操作部１３は、電話番号の入力等に用いるテンキー１３ａや、カーソルを移動させるためのカーソルキー１３ｂや、通話開始及び終了キー１３ｃ及び１３ｄ等、各種のキーを含んでいる。また、下側筐体１１の下側の中心に、送話部１４が配設される。送話部１４は、電話使用時に送話入力を行うマイクロホンからなる。
【００１９】
上側筐体１０には、その略々全面に渡って、表示部１５が配設される。表示部１５は例えば液晶ディスプレイからなる。表示部１５には、電話利用時に、着信や送信の電話番号や住所録が表示される他、インターネット利用時には、ウェブページが表示される。また、表示部１５は、カメラ撮影時に、ビューファインダとして用いられる。また、表示部１５には、撮影した画像の再生画面を表示するのに用いられる。更に、本発明の第１の実施形態においては、操作部１３からの入力により、ハンドミラー機能が設定できる。ハンドミラー機能に設定すると、撮影された像が左右反転されて鏡像となり、表示部１５に表示される。
【００２０】
上側筐体１０における表示部１５の上側の中央には、すなわち下側筺体１１と連結された下側と反対側の中央には、撮像部１６が配設される。撮像部１６は、ＣＣＤ(Charge Coupled Device)やＣＭＯＳ(Complementary Metal Oxide Semiconductor Field Effect TransistorMOS)等のイメージセンサからなる。撮像部１６は、写真撮影に利用される他、バーコード入力等に利用される。更に、本発明の第１の実施形態においては、撮像部１６は、ハンドミラー機能に設定したときに、自分自身を被写体として撮影するのに用いられる。
【００２１】
また、撮像部１６の更に上方において、表示部１５を正面視した状態で左側となる位置には、受話部１７が配設される。受話部１７は、電話使用時に受話部出力を行うスピーカからなる。なお、以下において、左、右、または左右という場合には、特に断りがある場合を除いて、上記同様に、上側筺体１０の下側筺体１１と連結された側を下側として表示部１５を正面視した状態における左、右または左右を意味する。
【００２２】
図２は、本発明の第１の実施形態に係るカメラ付き携帯電話端末１の主要部の内部構成を示すブロック図である。
【００２３】
図２において、主制御部２１は、ＣＰＵ(Central Processing Unit)等からなり、カメラ付き携帯電話端末１の全体の動作の制御を行っている。ＲＯＭ(Read Only Memory)２２には、ブートプログラム、基本プログラム、各種のアプリケーションプログラムが保存されている。フラッシュメモリ２３には、各種のプリセットデータ、電話帳データ、メールのデータ、電話履歴、写真情報等、各種のデータが記憶される。ＲＡＭ(Random Access Memory)２４は、画像処理用のメモリも含んでいる。
【００２４】
また、本発明の第１の実施形態に係るカメラ付き携帯電話端末１においては、主制御部２１は、ハンドミラー機能を実現するためのハンドミラー機能処理部２５を含んでいる。ハンドミラー機能処理部２５は、撮像部１６で撮影された画像データを左右反転させて、表示部１５に表示させる処理を行う。撮像部１６で撮影された画像データを左右反転させるためには、表示部１５のスキャン方向を左右反転させても良いし、また、撮像部１６で撮影された画像データをＲＡＭ２４に一時保存し、ＲＡＭ２４から左右反転させて読み出すようにしても良い。
【００２５】
無線通信部２６は、基地局との間で、電波の送受信を行うものである。通信方式としては、ＰＤＣ(Personal Digital Cellular)、ＧＳＭ(Global System for Mobile Communication)、ＣＤＭＡ(Code Division Multiple Access)、ＷＣＤＭＡ(Wideband CDMA)等がある。音声処理部２７は、入力音声信号や出力音声信号の処理を行っている。
【００２６】
このように、本発明の第１の実施形態に係るカメラ付き携帯電話端末１では、ハンドミラー機能に設定することができる。ハンドミラー機能に設定すると、撮像部１６で撮影された画面は左右反転されて鏡像となり、表示部１５に表示される。
【００２７】
そして、本発明の第１の実施形態に係るカメラ付き携帯電話端末１では、図１に示したように、撮像部１６の撮像方向と表示部１５の表示方向とが同一であり、使用者は、撮像部１５で自分自身を撮像しながら、その表示画面を表示部１５で確認できる。
【００２８】
撮像部１６は、上側筐体１０の表示部１５より上側の中央に配設されている。また、受話部１７は、撮像部１６の更に上方の左側に配設されている。すなわち、受話部１７は、表示部１５の上側の撮像部１６に対して左斜め上側に配置される。そして、受話部１７の取り付け位置には、溝状のスリット部１０２が設けられている。スリット部１０２は、表示部１５の上側において中央を含み、左右方向に延設されている。
【００２９】
このように、本発明の第１の実施形態に係るカメラ付き携帯電話端末１では、撮像部１６が表示部１５の上側の中央に配設されているため、ハンドミラー機能を使って、使用者が自分の顔の中心が撮像部１６に来るように顔を向けつつ、表示部１５の表示画面を見て確認する場合に、図３に示すように、使用者の目が上を向くことが無く、自然な画像が撮影できる。
【００３０】
また、本発明の第１の実施形態に係るカメラ付き携帯電話端末１では、撮像部１６の斜め左上側に、受話部１７が配設されている。このため、撮像部１６や受話部１７を配設するためのスペースが十分に確保できる。
【００３１】
更に、受話部１７に対してスリット部１０２が設けられているため、使用者が撮像部１６と受話部１７とを誤認しにくくなっている。その一方、使用者が上側筐体１０の上側の中心に耳を当てたとしても、受話部１７が斜め左上側に配置されているにもかかわらず、スリット部１０７を通じて受話音を良好に聞くことができる。
【００３２】
次に、本発明の第１の実施形態に係るカメラ付き携帯電話端末１における撮像部１６及び受話部１７の取り付け機構について詳述する。
【００３３】
図４及び図５は、本発明の第１の実施形態に係るカメラ付き携帯電話端末１の撮像部１６及び受話部１７の取り付け機構を説明するものである。図４に示すように、上側筐体１０には、表示部１５が配設されている。この表示部１５の上側中央に、撮像孔１０１が形成される。撮像部１６を構成するカメラモジュール１１０は、図５に示すように、撮像孔１０１と対応する位置となるように取り付けられる。
【００３４】
また、図４に示すように、撮像孔１０１の更に上側に、撮像孔１０１を中心とした周囲略円周上となる位置に、スリット部１０２が形成される。スリット部１０２の左端に、受話孔１０３が配置されている。図５に示すように、受話部１７は、３つのスピーカ音孔１１２、１１３、１１４を有している。これら３つあるスピーカ音孔１１２、１１３、１１４のうち、右側の１つのスピーカ音孔１１４がスリット部１０２内の受話孔１０３と対応する位置となるように、受話部１７が取り付けられる。また、受話孔１０３が撮像孔１０１よりも小さいため、撮像孔１０１と受話孔１０３とは、使用者にとって誤認しにくくなっている。
【００３５】
なお、ここでは、受話部１７として、スピーカ音孔が３つあるものを用いているが、受話部１７としては、１つのスピーカ音孔のものを用いて良い。この例では、部品実装効率のため横長形状になっているのに合わせると共に、部品強度の問題や、筐体の音に対する共振を考慮して、スピーカ音孔が３つあるものを使っている。撮像孔１０１より受話孔１０３を目立たなくさせるために受話孔１０３を小さくすることが目的であるので、１つのスピーカー音孔のものを用いる場合では、受話孔からスピーカー音孔の全部または一部が見えるような構成としてもよい。
【００３６】
このように、本発明の第１の実施形態に係るカメラ付き携帯電話端末１では、撮像孔１０１を中心とした周囲略円周上となる位置に、スリット部１０２が配置され、このスリット部１０２内に、受話孔１０３が形成され、この受話孔１０３に、スピーカ音孔１１４が取り付けられる。このような配置することで、使用者が上側筐体１０の上側の中心に耳を当てた状態でも、スピーカ音孔１１４からの音が耳の空洞部分の何れかからスリット部１０２へと流れるようになり、使用者は受話音を良好に聞くことができる。
【００３７】
また、図６は、本発明の第１の実施形態に係るカメラ付き携帯電話端末１の上側筐体１０の断面図である。この図６（Ａ）に示す断面図は、図６（Ｂ）に示すように、上側筐体１０を受話孔１０３中心を通る線（Ａ−Ａ）で切ったときの断面図である。
【００３８】
図６（Ａ）において、上側筐体１０の筐体面１０ａから、スリット部１０２の部分が一段下がるように形成されている。またスリット部１０２には受話孔１０３が開口されている。受話孔１０３の直下に、スピーカ音孔１１４が配置されている。
【００３９】
図６（Ａ）に示すように、受話孔１０３及びスピーカ音孔１１４は、受話孔１０３からスピーカ音孔１１４までの間に隙間１１５が生じるように、配置されている。受話孔１０３及びスピーカ音孔１１４をこのように配置した理由の１つは、外部からの圧力で部品同士が接触干渉すると、期待された音響特性が出せない場合があるためである。受話孔１０３からスピーカ音孔１１４までの間に隙間１１５が生じるようにすると、使用者の耳が該当部に当たっても、部品同士が接触することが無い。
【００４０】
また、受話孔１０３及びスピーカ音孔１１４をこのように配置した別の理由は、スピーカ音孔１１２〜１１３から出る音がこの隙間１１５を介して受話孔１０３から出ていくようにするためでもある。ただし、スピーカの部品構造によっては、スピーカ音孔１１２〜１１３の一部を塞いでも期待される音響特性で出力される部品もあるので、必ずしも後者の理由で隙間１１５が必要となる訳ではない。
【００４１】
このように構成することで、撮像部１６を上側筐体１０の上側の中央部に配設し、受話部１７の受話孔１０３を撮像部１６の上方の左側に配置した構造としても、受話孔１０３から出た再生音が、スリット部１０２によって形成された溝状のスリット部１０２を介して、上側筐体１０の左右の中心部まで音が通ることになり、使用者が筐体の中心付近を耳に当てている場合でも、受話音が使用者の耳まで音が通るようになる。
【００４２】
なお、ここでは受話孔１０３が左側に配置された例で説明したが、右側でも良い。また、ここでは、スリット部１０２は、上側筐体１０の中央を中心とした左右対称の形状としたが、このような形状に限定されるものではない。スリット部１０２の形状は、受話部１７からの音が中央付近に当てられた耳まで届けば良いので、耳と筐体とでできる空洞を十分カバーできる範囲であれば良く、例えばスリット部１０２は中心部まであれば良い。
【００４３】
また、受話孔１０３が撮像孔１０１の上下方向に配置された場合は、そこから左右の何れかで、撮像孔１０１を中心とした周囲、略円周上に配置されていれば良い。
【００４４】
また、スリット部１０２は、撮像孔１０１を中心とした周囲、略円周上に配置されれば良いとしたが、スリット部１０２は、撮像孔１０１近傍を通過する直線状に構成されていても良い。スリット部１０２は、耳が撮像孔付近にあてられ、耳と筐体との空洞を通過するような形状であれば良い。
【００４５】
また、スリット部１０２に配置された受話孔１０３を、フィルムシート等の加飾部材で覆うようにしても良い。
【００４６】
＜髪型変更サービス＞
次に、本発明が適用された携帯電話端末で利用できる髪型変更システムについて説明する。図７は、髪型変更システムの概要を示すものである。図７に示すように、このような髪型変更システムは、カメラ付き携帯電話端末１と、髪型変更サーバ５１と、インターネット等の通信路５２とからなる。
【００４７】
カメラ付き携帯電話端末１は、前述したように、ハンドミラー機能を備え、自分自身の顔を撮影して、髪型変更サーバ５１に送信することができる。
【００４８】
髪型変更サーバ５１は、髪型データベース５５が設けられる。この髪型データベース５５には、多数の髪型モデルが蓄積されている。また、髪型変更サーバ５１は、被写体の顔写真の画像のうちの髪型部分を除去する髪型マスク５６と、被写体の顔写真の画像の髪型の部分に、髪型データベース５５からの髪型を合成する髪型合成部５７を有している。
【００４９】
図８は、髪型変更システムの動作を示すシーケンス図である。図８において、使用者は、カメラ付き携帯電話端末１で自分の顔画像を撮影し、この撮影した顔写真の画像を髪型変更サーバ５１に送信する（ステップＳ１０１）。
【００５０】
髪型変更サーバ５１は、髪型データベース５５から髪型サンプルを読み出し、このサンプルを送信する（ステップＳ１０２）。カメラ付き携帯電話端末１は、このサンプル画像を表示し、使用者は、その中から髪型を選択して、髪型変更サーバ５１に送信する（ステップＳ１０３）。髪型変更サーバ５１は、カメラ付き携帯電話端末１から送られてきた顔画像に、髪型を合成して、髪型変更データをカメラ付き携帯電話端末１に送信する（ステップＳ１０４）。
【００５１】
このように、このような髪型変更サービスでは、カメラ付き携帯電話端末１をハンドミラー機能モードに設定して、自分自身の顔を撮影し、髪型変更サーバ５１に送信すると、その顔画像の髪型を変更して、カメラ付き携帯電話端末１に送信される。利用者は、この画像を見て、自分の髪型を好きなような変えたときの画像を楽しむことができる。
【００５２】
＜第２の実施形態＞
次に、本発明の第２の実施形態について説明する。図９は、本発明の第２の実施形態を示すものである。
【００５３】
図９において、携帯電話端末の上側筐体２０１には、表示部２１０が配設されている。この表示部２１０の上側の中央に、撮像部２１１が配設され、その右側に、受話部２１２が配設される。このように、この第２の実施形態では、表示部２１０の上側の中央に撮像部２１１を配設し、撮像部２１１と同じ高さで、その右側に、受話部２１２を配設している。この第２の実施形態の場合にも、撮像部２１１が表示部２１０の上側の中央に配設されているため、ハンドミラー機能を使って、使用者が自分の顔の中心が撮像部２１１に来るように顔を向けつつ、表示部２１０の表示画面を見て確認する場合に、使用者の目が上を向くことが無く、自然な画像が撮影できる。
【００５４】
なお、ここでは、撮像部２１１の右側に受話部２１２を配設しているが、撮像部２１１の左側に受話部２１２を配設しても良い。
【００５５】
＜第３の実施形態＞
図１０は、本発明の第３の実施形態を示すものである。図１０において、携帯電話端末の上側筐体３０１には、表示部３１０が配設されている。この表示部３１０の上側の中央に、撮像部３１１が配設され、その上側の中央に、受話部３１２が配設される。このように、この第３の実施形態では、表示部３１０の上側の中央に撮像部３１１を配設し、撮像部３１１の上側の中央に、受話部３１２を配設している。この第３の実施形態の場合にも、撮像部３１１が表示部３１０の上側の中央に配設されているため、ハンドミラー機能を使って、使用者が自分の顔の中心が撮像部３１１に来るように顔を向けつつ、表示部３１０の表示画面を見て確認する場合に、使用者の目が上を向くことが無く、自然な画像が撮影できる。
【００５６】
なお、ここでは、撮像部３１１の上側に受話部３１２を配設しているが、撮像部３１１の下側に受話部３１２を配設しても良い。
【００５７】
＜第４の実施形態＞
前述までの実施形態で説明したように、撮像部を表示部の上側の中央に配置すると、使用者の目が上を向くことが無く、自然な画像が撮影できる。ところが、このようなカメラ付け携帯電話端末では表示部の上側に受話部の受話孔が配設されており、使用者が受話孔と撮像孔とを誤認することが考えられる。この第４の実施形態は、このような受話孔と撮像孔とを誤認を防止することができるものである。
【００５８】
図１１は、本発明の第４の実施形態を示すものである。図１１において、携帯電話端末の上側筐体４０１には、表示部４１０が配設されている。この表示部４１０の上側の中央に、撮像部を取り付ける撮像孔４１１が設けられ、その右側に、受話部となるスピーカを取り付ける受話孔４１２が設けられる。
【００５９】
また、上側筐体４０１を覆う加飾シート４２０が設けられる。加飾シート４２０には、表示部４１０の部分に対応する四角形状の開口４２１と、撮像孔４１１の部分に対応する円形の開口４２２が設けられる。
【００６０】
本発明の第４の実施形態では、このように、表示部４１０の上側の中央に撮像孔４１１が設けられ、その右側に、受話孔４１２が設けられている。このように、表示部４１０の上側の中央に撮像孔４１１が設けられているので、撮像画像が上目になることがなくなる。
【００６１】
また、本発明の第４の実施形態では、携帯電話端末の上側筐体４０１に、四角形状の開口４２１と円形の開口４２２が設けられた加飾シート４２０が被装される。加飾シート４２０を上側筐体４０１に被装すると、この加飾シート４２０により、受話孔４１２の部分が隠匿される。これにより、使用者は、受話孔４１２を撮像孔４１１と誤認することがなくなる。
【００６２】
なお、受話孔４１２に対して配設されるスピーカの音圧が低い場合や、加飾シート４２０が音に合わせて振動にくいような構造、例えば受話孔４１２が円形一か所のみで耳に接触してしまう位置であったり、加飾シート４２０として厚みの大きい素材のものであったりする場合は、加飾シート４２０の受話孔４１２に対応する部分に、目立たない微細な孔を開けて、音を通り易くしても良い。
【００６３】
また、撮像孔４１１より比較的小さな受話孔４１２を形成する場合には、開口４２２に周辺と同一色で不織布のような音が通りやすい材質を部分的に配置しても良いし、周辺と同色の網状の部材を配置しても良い。
【００６４】
また、加飾シート４２０の四角形状の開口４２１には、透明部材を設けるようにしても良い。また、加飾シート４２０の四角形状の開口４２１に透明部材を設けるようにした場合には、透明部材に印刷をして加飾する場合もある。また、円形の開口４２２も同様に、必ずしも物理的に開口している必要は無く、透明部材としても良い。
【００６５】
また、加飾シート４２０の受話孔４１２に対応する部分に形成した微細な孔が目立たないように、撮像孔４１１の周辺に黒い塗装を施し、撮像孔４１１からその色が見えるように光学軸より広めに開口し、撮像部の位置をデザイン上目立たせることが好ましい。このようにすることで、受話孔４１２を目立たなく配置し、撮像孔４１１との誤認を防ぐことができる。また、加飾シート４２０により、受話孔４１２があることでの左右方向、ねじれ方向の筐体強度の低下を軽減できる。
【００６６】
本発明は、上述した実施形態に限定されるものではなく、この発明の要旨を逸脱しない範囲内で様々な変形や応用が可能である。
【符号の説明】
【００６７】
１：携帯電話端末
１０：上側筐体
１１：下側筐体
１２：ヒンジ部
１３：操作部
１４：送話部
１５：表示部
１６：撮像部
１７：受話部
２５：ハンドミラー機能処理部
１０１：撮像孔
１０２：スリット部
１０３：受話孔
１１０：カメラモジュール
１１２〜１１４：スピーカ音孔
【図１】
0005679277.tif 000002
【図２】
0005679277.tif 000003
【図３】
0005679277.tif 000004
【図４】
0005679277.tif 000005
【図５】
0005679277.tif 000006
【図６】
0005679277.tif 000007
【図７】
0005679277.tif 000008
【図８】
0005679277.tif 000009
【図９】
0005679277.tif 000010
【図１０】
0005679277.tif 000011
【図１１】
0005679277.tif 000012
【図１２】
0005679277.tif 000013
【図１３】
0005679277.tif 000014
【図１４】
0005679277.tif 000015